(57)【特許請求の範囲】
【請求項１】
手首部の動脈を圧迫して、生体の血圧を測定する手首式血圧計であって、
血圧の測定を制御する本体部と、
前記本体部を支持し、前記本体部を前記手首部に装着するためのカフと、
掌の内側への曲げを制限する制限手段と、
を備え、
前記制限手段は、
前記手首部に装着され、前記手首部に位置する前記本体部またはその一部を前記掌側へ移動させる移動機構を含む、手首式血圧計。
【請求項２】
前記移動機構は、前記本体部を前記掌側へスライド移動させるスライド機構である、請求項１に記載の手首式血圧計。
【請求項３】
前記移動機構は、前記本体部に収納されているガイド部を前記掌側へ移動させる移動機構である、請求項１に記載の手首式血圧計
【請求項４】
前記移動機構は、前記本体部に前記掌と垂直な軸を設け、前記本体部を前記掌と平行に回動させる機構である、請求項１に記載の手首式血圧計。
【請求項５】
前記移動機構は、前記本体部またはその一部を前記掌側へ移動させたときに、当該手首式血圧計を動作可能な状態にするスイッチを含む、請求項１から４のいずれかに記載の手首式血圧計。
【発明の詳細な説明】
【０００１】
【発明の属する技術分野】
この発明は、生体に装着して血圧を測定する血圧計に使用する血圧計に関し、より特定的には、手首部において血圧を測定する手首式血圧計の構造に関する。
【０００２】
【従来の技術】
近年、血圧の自己管理がますます重要視され、家庭用血圧計として上腕部よりも手軽に測定できる手首式血圧計が家庭において広く用いられるようになってきている。従来の、手首式血圧計１００Ｅの概略構成について、図１０を参照して説明する。なお、図１０は手首式血圧計１００Ｅの外観を示す全体斜視図である。この手首式血圧計１００Ｅは、血圧測定の制御装置が内蔵された本体部１０１と、その本体部１０１を手首に装着するためのカフ１０２とを備える。本体部１０１の外表面には、表示器１０３、および測定開始スイッチ１０４が設けられ、内部には加圧センサ、加圧ポンプ、排気弁、およびこれらの機器を制御するＣＰＵ等（図示省略）が設けられている。
【０００３】
カフ１０２は、本体部１０１に内蔵された加圧ポンプから送り出される空気が溜められるとともに、手首部１の動脈を圧迫するために用いられる空気袋１０９、この空気袋１０９をその内面側に設け、手首部１に装着するための帯状のバンド１１０、およびバンド１１０を手首部１に巻回して固定するための面ファスナ１１１を備えている。
【０００４】
次に、上記構成からなる手首式血圧計１００を用いた血圧の測定について、図１１を参照して説明する。なお、図１１は、手首部１の横断面の概略を示すものであり、空気袋１０９内に空気が供給されて状態を示している。図１１に示すように、バンド１１０を用いて、手首式血圧計１００の空気袋１０９が手首部１１の橈骨動脈５に対向する位置に固定され、橈骨動脈５が圧迫された後、排気弁の開放により空気袋１０９内の空気を排気する過程で血圧センサにより空気袋１０９内の圧力が測定され、その結果血圧測定データが得られる。
【０００５】
なお、手首部１の生体構造の主なものとしては、図示するように、親指側に位置する橈骨２、小指側に位置する尺骨３、橈骨２の近傍に位置する深指屈腱４ａ、長掌屈腱４ｂ、および橈骨動脈５、尺骨３の近傍に位置する浅指屈腱６ａ、尺骨側手根腱６ｂ、および尺骨動脈７等が挙げられる。
【０００６】
【発明が解決しようとする課題】
ここで、掌（てのひら）を図１２に示すように内側に曲げた場合、手首部１に位置する腱は、図１３の断面図に示すように、上方に持上げられる。特に、長掌屈腱４ｂおよび浅指屈腱６ａについては、大きく上方に移動する。また、橈骨動脈５、および尺骨動脈７も筋肉の間に潜り込むことになる。このため、手首部１に手首式血圧計１００を装着した状態において、掌を内側に曲げた場合、橈骨動脈５または尺骨動脈７の空気袋１０９による圧迫が、腱等によって阻害され、血圧の測定精度にばらつきが発生し、正確に血圧を測定できない問題が挙げられる。
【０００７】
したがって、本発明の目的は、手首式血圧計を手首部に装着した場合において、血圧測定時には、掌を内側に曲げることができない機構を有する手首式血圧計を提供することにある。
【０００８】
【課題を解決するための手段】
この発明に基いた手首式血圧計においては、手首部の動脈を圧迫して、生体の血圧を測定する手首式血圧計用であって、血圧の測定を制御する本体部と、上記本体部を支持し、上記本体部を上記手首部に装着するためのカフと、掌の内側への曲げを制限する制限手段とを備える。また、上記発明において好ましくは、上記制限手段は、上記本体部またはその一部を上記掌側へ移動させる移動機構を含む。
【０００９】
このように、掌の内側への曲げを制限する制限手段を設けることにより、手首式血圧計を手首部に装着した状態では、掌を内側へ曲げることができないため、掌を内側に曲げた場合の腱の移動等が防止され、空気袋による動脈の圧迫を確実に行なうことが可能になる。その結果、正確な値の血圧を測定することが可能になる。
【００１０】
また、上記発明において好ましくは、上記移動機構は、上記本体部を上記掌側へスライド移動させるスライド機構である。また、上記発明において好ましくは、上記移動機構は、上記本体部に収納されているガイド部を前記掌側へ移動させる移動機構である。また、上記発明において好ましくは、上記移動機構は、上記本体部に上記掌と垂直な軸を設け、上記本体部を上記掌と平行に回動させる機構である。これらの種々の機構を採用することで、掌を内側に曲げた場合の腱の移動等が防止され、空気袋による動脈の圧迫を確実に行なうことが可能になる。また、上記発明において好ましくは、上記移動機構は、上記本体部またはその一部を上記掌側へ移動させたときに、当該手首式血圧計を動作可能な状態にするスイッチを含む。このように、移動機構に連動させたスイッチ機構を設けることにより、血圧測定時において掌の内側への移動を確実に制限することが可能になる。また、従来本体部の表面側に設けていた測定開始スイッチを設ける必要がなくなるため、表示器を大きくすることが可能になり、血圧測定値等の視認性の向上を図ることが可能になる。
【００１１】
また、上記発明において好ましくは、上記制限手段は、上記掌側へ延びるガイド部材を含む。さらに好ましくは、上記ガイド部材は、当該手首式血圧計に対して着脱可能に設けられる。
【００１２】
【発明の実施の形態】
以下、この発明に基づいた手首式血圧計の各実施の形態について、図を参照しながら説明する。なお、本実施の形態における手首式血圧計の基本的構造は、図１０を用いて説明した従来の手首式血圧計１００Ｅと同じであるため、同一または相当部分についての説明は省略し、本発明の特徴的構造についてのみ、以下に説明する。
【００１３】
（実施の形態１）
まず、この発明に基づいた実施の形態１における手首式血圧計１００Ａの構成について、図１および図２を参照して説明する。なお、図１および図２は本実施の形態における手首式血圧計１００Ａを手首部１へ装着した状態を示す第１および第２の側面図である。
【００１４】
（構成）
まず、図１を参照して、手首式血圧計１００Ａの構成について説明する。この手首式血圧計１００Ａは、カフ１０２に対して、本体部１０１が掌側に移動可能に設けられている。本実施の形態の場合は、移動機構として、本体部１０１とカフ１０２との間にスライドレール１０１ａが設けられ、図２に示すように、本体部１０１を掌側に（図中矢印Ｓ方向）スライドさせることが可能になっている。なお、スライド機構としてスライドレール１０１ａを設ける場合について説明したが、リニアベアリング等他の公知の技術を適用することが可能である。
【００１５】
（作用・効果）
以上、本実施の形態における手首式血圧計１００Ａによれば、本体部１０１が掌側にスライド移動可能に設けられていることから、移動前の状態では、図１に示すように、掌の内側への移動量はＡ１であるが、移動後の状態では、図２に示すように、本体部１０１が邪魔になり、掌の内側への移動量をＡ２に減少させることが可能になる。その結果、本体部１０１のスライド後の状態では、掌を内側に曲げた場合の腱の移動等が防止され、空気袋による動脈の圧迫を確実に行なうことが可能になる。
【００１６】
（実施の形態２）
次に、この発明に基づいた実施の形態２における手首式血圧計１００Ｂの構成について、図３および図４を参照して説明する。なお、図３は本実施の形態における手首式血圧計１００Ｂを手首部１へ装着した状態を示す側面図であり、図４は本実施の形態における手首式血圧計１００Ｂを手首部１へ装着した状態を示す平面図である。
【００１７】
（構成）
図３および図４を参照して、本実施の形態における手首式血圧計１００Ｂは、掌側に向かって延びるガイド部材１２０が設けられている。ガイド部材１２０の材質としては、ＡＢＳ、ポリプロピレン等が挙げられる。このガイド部材１２０は本体部１０１またはカフ１０２のいずれに取付けられていても構わない。
【００１８】
（作用・効果）
以上、本実施の形態における手首式血圧計１００Ｂによれば、掌側に向かって延びるガイド部材１２０が設けられていることから、このガイド部材１２０が邪魔になり、掌の内側への移動を制限することが可能になる。その結果、掌を内側に曲げた場合の腱の移動等が防止され、空気袋による動脈の圧迫を確実に行なうことが可能になる。なお、ガイド部材１２０を手首式血圧計１００Ｂに対して着脱式とすること、または、ガイド部材１２０を手首式血圧計１００Ｂに対して収容可能な構造とすることで、手首式血圧計１００Ｂの装着時および収容時の取扱性を向上させることが可能になる。
【００１９】
（実施の形態３）
次に、この発明に基づいた実施の形態３における手首式血圧計１００Ｃの構成について、図５および図６を参照して説明する。なお、図５および図６は本実施の形態における手首式血圧計１００Ｃを手首部１へ装着した状態を示す第１および第２の平面図である。
【００２０】
（構成）
図５および図６を参照して、本実施の形態における手首式血圧計１００Ｃは、上記実施の形態２と同様の形状を有するガイド部材１２０が設けられているとともに、本体部１０１の掌側へのスライドに連動して、ガイド部材１２０も掌側へのスライドする機構が設けられている。このスライド機構については、上記実施の形態１で説明したスライド機構の適用が可能である。さらに、本実施の形態においては、本体部１０１を掌側へ移動させたときに、手首式血圧計１００Ｃを動作可能な状態にするスイッチ機構が設けられている。このスイッチ機構としては、本体部１０１とスライド機構との間に互いに係合し合う凹凸部を設け、この凹凸部の係合または非係合に連動して、スイッチのＯＮ／ＯＦＦを切換える機構等、公知の様々な機構を適用することが可能である。
【００２１】
（作用・効果）
以上、本実施の形態における手首式血圧計１００Ｃによれば、本体部１０１の掌側へのスライド機構に連動して掌側へ延びるガイド部材１２０が設けられ、さらに、本体部１０１の掌側へのスライド機構に連動するスイッチ機構が設けられていることから、本体部１０１の掌側へのスライドさせた場合ガイド部材１２０が邪魔になり、掌の内側への移動を制限することが可能になる。その結果、掌を内側に曲げた場合の腱の移動等が防止され、空気袋による動脈の圧迫を確実に行なうことが可能になる。
【００２２】
また、本体部１０１の掌側へのスライドさせた場合に、手首式血圧計１００Ｃを作動状態にすることが可能となるため、血圧測定時において掌の内側への移動を確実に制限することが可能になる。また、従来本体部の表面側に設けていた測定開始スイッチを設ける必要がなくなるため、表示器を大きくすることが可能になり、血圧測定値等の視認性の向上を図ることが可能になる。
【００２３】
なお、本実施の形態においては、本体部１０１のスライドに連動して、ガイド部材１２０が移動し、また、手首式血圧計１００Ｃを作動状態にする機構を採用しているが、本体部１０１のスライドに連動してガイド部材１２０が移動する機構のみ、または、本体部１０１のスライドに連動して手首式血圧計１００Ｃを作動状態にする機構のみを採用することも可能である。
【００２４】
（実施の形態４）
次に、この発明に基づいた実施の形態４における手首式血圧計１００Ｄの構成について、図７〜図９を参照して説明する。なお、図７および図８は本実施の形態における手首式血圧計１００Ｄを手首部１へ装着した状態を示す第１および第２の側面図であり、図９は、本体部１０１が回転した後の状態を示す平面図である。
【００２５】
（構成）
図７を参照して、手首式血圧計１００Ｄの構成について説明する。この手首式血圧計１００Ｄは、カフ１０２に対して、本体部１０１が掌側に回転移動可能に設けられている。本実施の形態の場合は、回転機構として、本体部１０１とカフ１０２との間に回転軸部１３０が設けられ、図８示すように、本体部１０１を掌側に（図中矢印Ｒ方向）回転させることが可能になっている。
【００２６】
（作用・効果）
以上、本実施の形態における手首式血圧計１００Ｄによれば、本体部１０１が掌側に回転可能に設けられていることから、回転前の状態では、図７に示すように、掌の内側への移動量はＡ１であるが、回転後の状態では、図８に示すように、本体部１０１が邪魔になり、掌の内側への移動量をＡ２に減少させることが可能になる。その結果、本体部１０１のスライド後の状態では、掌を内側に曲げた場合の腱の移動等が防止され、空気袋による動脈の圧迫を確実に行なうことが可能になる。
【００２７】
なお、上記各実施の形態に示した機構は、適宜選択的に組合せて採用することが可能である。また、上記各実施の形態においては、本体部１０１の全体が移動する場合について説明しているが、本体部１０１の一部分を移動可能とすることによっても、同様の作用効果を得ることが可能である。したがって、今回開示した上記実施の形態はすべての点で例示であって、限定的な解釈の根拠となるものではない。したがって、本発明の技術的範囲は、上記した各実施の形態のみによって解釈されるのではなく、特許請求の範囲の記載に基づいて画定される。また、特許請求の範囲と均等の意味および範囲内でのすべての変更が含まれる。
【００２８】
【発明の効果】
この発明に基いた手首式血圧計によれば、掌の内側への曲げを制限する制限手段を設けることにより、手首式血圧計を手首部に装着した状態では、掌を内側へ曲げることができないため、掌を内側に曲げた場合の腱の移動等が防止され、空気袋による動脈の圧迫を確実に行なうことが可能になる。その結果、正確な値の血圧を測定することが可能になる。
【図面の簡単な説明】
【図１】  実施の形態１における手首式血圧計１００Ａを手首部１へ装着した状態を示す第１の側面図である。
【図２】  実施の形態１における手首式血圧計１００Ａを手首部１へ装着した状態を示す第２の側面図である。
【図３】  実施の形態２における手首式血圧計１００Ｂを手首部１へ装着した状態を示す側面図である。
【図４】  実施の形態２における手首式血圧計１００Ｂを手首部１へ装着した状態を示す平面図である。
【図５】  実施の形態３における手首式血圧計１００Ｃを手首部１へ装着した状態を示す第１の平面図である。
【図６】  実施の形態３における手首式血圧計１００Ｃを手首部１へ装着した状態を示す第２の平面図である。
【図７】  実施の形態４における手首式血圧計１００Ｄを手首部１へ装着した状態を示す第１の側面図である。
【図８】  実施の形態４における手首式血圧計１００Ｄを手首部１へ装着した状態を示す第２の側面図である。
【図９】  本体部１０１が回転した後の状態を示す平面図である。
【図１０】  従来技術における手首式血圧計１００Ｅの外観を示す全体斜視図である。
【図１１】  手首部１の横断面の概略を示す図である。
【図１２】  掌を内側に曲げた場合の図である。
【図１３】  掌を内側に曲げた場合の手首部１の横断面の概略を示す図である。
【符号の説明】
１  手首部、２  橈骨、３  尺骨、４ａ  深指屈腱、４ｂ  長掌屈腱、５  橈骨動脈、６ａ  浅指屈腱、６ｂ  尺骨側手根腱、７  尺骨動脈、１００Ａ，１００Ｂ，１００Ｃ，１００Ｄ  手首式血圧計、１０１  本体部、１０１ａ  スライドレール、１０４  測定開始スイッチ、１０９  空気袋、１２０  ガイド部材、１３０  回転軸部。
【図１】
0003721410.tif 000002
【図２】
0003721410.tif 000003
【図３】
0003721410.tif 000004
【図４】
0003721410.tif 000005
【図５】
0003721410.tif 000006
【図６】
0003721410.tif 000007
【図７】
0003721410.tif 000008
【図８】
0003721410.tif 000009
【図９】
0003721410.tif 000010
【図１０】
0003721410.tif 000011
【図１１】
0003721410.tif 000012
【図１２】
0003721410.tif 000013
【図１３】
0003721410.tif 000014